(57)【特許請求の範囲】
【請求項１】
電動機と、前記電動機の回転軸に固定された羽根車と、前記羽根車によって生成された気流を安定させるスタビライザーとを備えた送風機を有するエアカーテンであって、
前記スタビライザーはガイド部と舌部とスロート部とからなり、
前記気流は、前記ガイド部、前記舌部、および前記スロート部に沿って流れることにより安定され、
前記スタビライザーを可動式にし、
前記スタビライザーを動かすことにより、前記ガイド部と前記舌部と前記スロート部とが互いの配置関係を固定した状態で前記気流の風量を増大させた風量増大状態と、前記気流の風量を減少させた風量減少状態とを切り替え可能とし、
前記スタビライザーを動かすことにより切り替えられた、前記気流の風量を増大させた風量増大状態においては、前記スロート部に沿って流れる前記気流の風路の幅は、前記舌部から前記スロート部の先端に向かって増大し、
前記スタビライザーを動かすことにより切り替えられた、前記気流の風量を減少させた風量減少状態においては、前記スロート部に沿って流れる前記気流の風路の幅は、前記舌部から前記スロート部の先端に向かって一定であることを特徴とするエアカーテン。
【請求項２】
前記スタビライザーおよび操作部からなる風量調整部材を有し、
前記操作部を動かすことにより前記スタビライザーが動くことを特徴とする請求項１に記載のエアカーテン。
【請求項３】
前記電動機および前記羽根車を内蔵するケーシングを有し、
前記スタビライザーは前記ケーシングの中に設けられ、
前記操作部の一部は前記ケーシングの外へ向かって突出して設けられたことを特徴とする請求項２に記載のエアカーテン。
【請求項４】
壁面に備えつけられる取付板と、
前記取付板に取り付けられる背面パネルと、
前記背面パネルに固定された外郭パネルとを備え、
前記電動機、前記羽根車、および前記スタビライザーは前記背面パネルと前記外郭パネル
で囲われた内部に設けられ、
前記羽根車は貫流羽根車であり、
前記外郭パネルの上面または前面に吸込口を設け、
前記外郭パネルの下面に吹出口を設け、
前記操作部の一部は前記下面から外へ向かって突出して設けられたことを特徴とする請求項２記載のエアカーテン。
【請求項５】
壁面に備えつけられる取付板と、
前記取付板に取り付けられる外郭パネルとを備え、
前記外郭パネルの上面または前面に吸込口を設け、
前記外郭パネルの下面に吹出口を設け、
前記ケーシングの外へ向かって突出した前記操作部の一部は、部分的に、さらに前記下面から外へ向かって突出して設けられたことを特徴とする請求項３記載のエアカーテン。
【発明の詳細な説明】
【技術分野】
【０００１】
本発明は、エアカーテンに関する。
【背景技術】
【０００２】
エアカーテンは、カーテン状の気流により外気を遮断することで、室内の冷暖房した熱を逃げにくくしたり、外部からの埃の侵入を遮断したりするため、食料品店やレストランの出入り口等において使用される。また、エアカーテンでは、遮断効率を高める目的で幅広く均一なカーテン状の気流を送出する目的で、貫流ファンの方式を採用したものが広く普及している（例えば特許文献１参照）。
【先行技術文献】
【特許文献】
【０００３】
【特許文献１】特開２００１−１１６３１８号公報
【発明の概要】
【発明が解決しようとする課題】
【０００４】
このような従来のエアカーテンにおいては、一般に、電動機（モータ）の出力（回転数）を調整することにより、吹出気流の風量を調整している。
【０００５】
しかしながら、電動機の出力等を変更せずに吹出気流を調整できる具体的な構成は提案されていなかった。
【０００６】
そこで本発明は、電動機の出力等を変更せずに吹出気流を調整できるエアカーテンを提供することを目的とする。
【課題を解決するための手段】
【０００７】
そして、この目的を達成するために、本発明の一態様に係るエアカーテンは、電動機と、前記電動機の回転軸に固定された羽根車と、前記羽根車によって生成された気流を安定させるスタビライザーとを備えた送風機を有するエアカーテンであって、前記スタビライザーはガイド部と舌部とスロート部とからなり、前記気流は、前記ガイド部、前記舌部、および前記スロート部に沿って流れることにより安定され、前記スタビライザーを可動式にし、前記スタビライザーを動かすことにより、前記ガイド部と前記舌部と前記スロート部とが互いの配置関係を固定した状態で前記気流の風量を増大させた風量増大状態と、前記気流の風量を減少させた風量減少状態とを切り替え可能とし、前記スタビライザーを動かすことにより切り替えられた、前記気流の風量を増大させた風量増大状態においては、前記スロート部に沿って流れる前記気流の風路の幅は、前記舌部から前記スロート部の先端に向かって増大し、前記スタビライザーを動かすことにより切り替えられた、前記気流の風量を減少させた風量減少状態においては、前記スロート部に沿って流れる前記気流の風路の幅は、前記舌部から前記スロート部の先端に向かって一定であるエアカーテンとし、これにより所期の目的を達成するものである。
【発明の効果】
【０００８】
本発明によれば、電動機を調整しなくても、吹出気流の風量を調整することができるエアカーテンを提供できる。
【図面の簡単な説明】
【０００９】
【図１】実施の形態１の送風機の側面断面を示す概略図
【図２】同送風機の斜視概略図
【図３】実施の形態２の送風機の側面断面を示す概略図
【図４】同送風機の斜視概略図
【図５】実施の形態３のエアカーテンの側面断面を示す概略図
【図６】実施の形態４のエアカーテンの側面断面を示す概略図
【図７】実施の形態５の送風機の側面断面を示す概略図
【発明を実施するための形態】
【００１０】
本発明の一態様に係る送風機は、電動機と、前記電動機の回転軸に固定された羽根車と、前記羽根車によって生成された気流を安定させるスタビライザーとを備えた送風機であって、前記スタビライザーはガイド部と舌部とスロート部とからなり、前記気流は、前記ガイド部および前記舌部により安定され、前記スロート部に沿って流れ、吹出気流として吹き出される。前記スタビライザーを可動式にし、前記スタビライザーを動かすことにより、前記気流の風量を増大させた風量増大状態と、前記気流の風量を減少させた風量減少状態とを切り替えるという構成を有する。
【００１１】
この構成によれば、電動機を調整しなくても、送風機の吹出気流の風量を調整することができる。スタビライザーを動かすことにより、吹出気流の風量を容易に調整できるため、用途に合わせて風量を調整できる送風機を得ることができる。すなわち、多くの風量が必要な場合は風量増大状態になるようにスタビライザーを動かし、少ない風量が必要な場合は風量減少状態になるようにスタビライザーを動かすことで、容易に風量調整できる送風機を得ることができる。
【００１２】
以下、本発明の実施例について図面を参照しながら説明する。
【００１３】
（実施の形態１）
図１は実施の形態１の送風機の側面断面を示す概略図、図２は同送風機の斜視概略図である。
図１および図２に示すように、送風機１はケーシング１１と電動機２と羽根車４とスタビライザー５とを備えている。
【００１４】
羽根車４は電動機２の回転軸３に固定されている。羽根車４は例えばシロッコファンを構成する羽根車である。
【００１５】
羽根車４、およびスタビライザー５はケーシング１１の内部に設けられる。
【００１６】
スタビライザー５は羽根車４によって生成された気流を安定させるための部材であり、英語ではｓｔａｂｉｌｉｚｅｒともいう。
【００１７】
スタビライザー５は、ガイド部６、舌部７、およびスロート部８からなる。スロート部は喉部ともいう。
【００１８】
電動機２を運転すると、羽根車４が回転方向１３に向かって回転する。羽根車４の回転により吸込口１６から空気が吸い込まれる。
【００１９】
吸込口１６から吸い込まれた空気は気流となり、ガイド部６、および舌部７によって安定した流れとなり、スロート部８に沿って流れる。その後、この気流は吹出口１７から吹出気流１８として吹き出される。
【００２０】
本実施例の特徴は、スタビライザー５が可動式であることである。すなわち、スタビライザー５を動かすことにより、多くの吹出気流１８が必要な場合は風量増大状態５１に切り替え、少ない吹出気流１８が必要な場合は風量減少状態５２に切り替えることができる。
【００２１】
ここで、風量増大状態５１とは、風路の幅６１が、風量減少状態５２における風路の幅６２よりも大きい状態のことをいう。なお、風路の幅６１、６２は、スロート部８に沿って流れる気流の風路の幅のことである。なお、図１において、風量増大状態５１におけるスタビライザー５および後述する操作部９は破線で示している。
【００２２】
このように、スタビライザー５を可動式とすることにより、電動機２の出力（回転数）を調整しなくても、容易に吹出気流１８の風量を調整することができる。このため、必要な風量に応じて、用途に合わせて風量を調整できる送風機１を得ることができる。
【００２３】
スタビライザー５は操作部９と接続されていてもよい。この場合、スタビライザー５および操作部９から構成される部材を風量調整部材１０とする。
【００２４】
操作部９の一部は、ケーシング１１の開口２１を介して、ケーシング１１から外に向かって突出することが好ましい。
【００２５】
この構成によれば、操作部９を容易に操作できる。操作部９を動かすことで、操作部９に接続されたスタビライザー５も動くこととなり、さらに容易に吹出気流１８の風量を調整することができる。
（実施の形態２）
図３は実施の形態２の送風機の側面断面を示す概略図、図４は同送風機の斜視概略図である。図３、図４において、図１及び図２と同様の構成要素については同一の符号を付し、その詳細な説明は省略する。
【００２６】
図３および図４に示すように、送風機１は羽根車４’とスタビライザー５と第１ガイダー７１と第２ガイダー７２によって風路が構成されている送風機である。なお、第１ガイダー７１はリアガイダーともいう。また、第２ガイダー７２はスタビライザーの機能も有している。
【００２７】
羽根車４’は貫流羽根車であり、送風機１は貫流方式の送風機である。
【００２８】
電動機２を運転すると、羽根車４’が回転方向１３に向かって回転する。羽根車４’の回転により生成された気流は、ガイド部６、および舌部７によって安定した流れとなり、スロート部８に沿って流れる。その後、この気流は吹出口１７から吹出気流１８として吹き出される。
【００２９】
この場合でも実施の形態１と同様に、スタビライザー５を可動式とし、スタビライザー５を動かすことにより、多くの吹出気流１８が必要な場合は風量増大状態５１に切り替え、少ない吹出気流１８が必要な場合は風量減少状態５２に切り替えることができる。
【００３０】
なお、操作部９の一部は、第２ガイダー７２の開口２１から突出する構成としてもよい。
（実施の形態３）
図５は、実施の形態３のエアカーテンの側面断面を示す概略図である。
【００３１】
図５において、図１〜図４と同様の構成要素については同一の符号を付し、その詳細な説明は省略する。
【００３２】
図５に示すように、エアカーテン３１は、取付板３３と、背面パネル３４と、外郭パネル３５とを備えている。
【００３３】
取付板３３は、壁面３２に備えつけられる。
【００３４】
背面パネル３４は、取付板３３に取り付けられる。
【００３５】
外郭パネル３５は、背面パネル３４に固定される。
【００３６】
電動機２、羽根車４’、およびスタビライザー５は背面パネル３４と外郭パネル３５で囲われた内部に設けられる。
【００３７】
図５において羽根車４’は貫流羽根車である。このため、図２のようなケーシング１１は必要ではない。
【００３８】
外郭パネル３５の上面３５ａまたは前面３５ｂに吸込口３６を設けている。ここで、上面３５ａとは前面３５ｂよりも上側の面を言う。
【００３９】
外郭パネル３５の下面３５ｃに吹出口３７を設けている。ここで、下面３５ｃとは前面３５ｂよりも下側の面を言う。
【００４０】
電動機２を運転すると、羽根車４’（貫流羽根車）が回転し、吸込口３６から吸込気流として空気が流入する。流入した空気は、リアガイダー７３とスタビライザー５によって安定した流れとなり、カーテン状の吹出気流１８となって、吹出口３７から下方向３９に送出される。
【００４１】
スタビライザー５は可動式であるため、スタビライザー５を動かすことにより、吹出気流１８を調整できる。すなわち、図１で説明したように、スタビライザー５を動かすことにより、多くの吹出気流１８が必要な場合は風量増大状態５１に切り替え、少ない吹出気流１８が必要な場合は風量減少状態５２に切り替えることができる。
【００４２】
エアカーテン３１は、吹出気流１８により、埃や虫などの異物を遮蔽することが重要である。風量増大状態５１から風量減少状態５２寄りに切り替えることにより、吹出気流１８の風速を上昇させ、エアカーテン３１の遮蔽性能を向上させることができる。
【００４３】
一方、エアカーテン３１は、吹出気流１８により、熱等を遮蔽することも重要である。熱等を遮蔽するためには、下方向３９に吹き出された吹出気流１８が床または地面に衝突する程度を考慮する必要がある。これは、床等に衝突して反射する吹出気流１８の量が多過ぎても熱等を遮蔽する性能が低下するし、床等に到達する吹出気流１８の量が少な過ぎても熱等を遮蔽する性能が低下するからである。
【００４４】
すなわち、吹出気流１８の風速が早すぎて、床等に衝突する吹出気流１８が多過ぎる場合は、風量減少状態５２から風量増大状態５１寄りに切り替えて吹出気流１８の風速を低下させる。また、吹出気流１８の風速が遅すぎて、床等に衝突する吹出気流１８が少な過ぎる場合は、風量増大状態５１から風量減少状態５２寄りに切り替えて吹出気流１８の風速を上昇させる。
【００４５】
このように、床等に衝突する吹出気流１８の風量を適正な風量に調整することで、熱等を遮蔽する遮蔽性能も向上させることができる。
【００４６】
スタビライザー５は操作部９と接続されて風量調整部材１０を構成している。
【００４７】
特に、操作部９の一部は外郭パネル３５の下面３５ｃから外へ向かって突出して設けられている。突出した操作部９の一部を操作することで、操作部９を操作して、風量増大状態５１と風量減少状態５２とを容易に切り替えることができる。（実施の形態４）
図６は、実施の形態４のエアカーテンの側面断面を示す概略図である。
【００４８】
図６において、図１〜図５と同様の構成要素については同一の符号を付し、その詳細な説明は省略する。
【００４９】
図６に示すように、エアカーテン４１は、取付板３３と、外郭パネル３５とを備えている。
【００５０】
取付板３３は、壁面３２に備えつけられる。
【００５１】
外郭パネル３５は、取付板３３に取り付けられる。
【００５２】
外郭パネル３５の上面３５ａまたは前面３５ｂに吸込口３６を設けている。
【００５３】
外郭パネル３５の下面３５ｃに吹出口３７を設けている。
【００５４】
エアカーテン４１は、図１で示したケーシング１１付きの送風機１を備えている。
【００５５】
スタビライザー５は操作部９と接続されて風量調整部材１０を構成している。
【００５６】
特に、ケーシング１１の外へ向かって突出した操作部９の一部は、部分的に、さらに外郭パネル３５の下面３５ｃから外へ向かって突出して設けられている。下面３５ｃから突出した操作部９の一部を操作することで、操作部９を操作して、風量増大状態５１と風量減少状態５２とを容易に切り替えることができる。
（実施の形態５）
図７は、実施の形態５の送風機の側面断面を示す概略図である。
【００５７】
図７において、図１〜図６と同様の構成要素については同一の符号を付し、その詳細な説明は省略する。
【００５８】
図７に示すように、スタビライザー５の可動方向において、風量増大状態５１から風量減少状態５２へ向かう方向を一方９１、風量減少状態５２から風量増大状態５１へ向かう方向を他方９２とする。
【００５９】
そして、最も一方９１の方向にある羽根車４、４’の端部８１における接線を端部接線８２とする。
【００６０】
この場合、風量減少状態５２では、スロート部８の下端８ａは、端部接線８２よりも一方９１の方向に配置され、風量増大状態５１では、スロート部８の下端８ａは、端部接線８２よりも他方９２の方向に配置されるという構成にすることが好ましい。
【００６１】
この構成により、風量減少状態５２において、羽根車４、４’から発生する風切音をスロート部８により抑制することができる。すなわち、羽根車４、４’から発生する風切音は、吹出口１７、３７を介して伝わるが、吹出口１７、３７に到達する風切音をスロート部８により遮ることで、風切音の伝達を抑制することができる。
【００６２】
また、図１に示すように、風量増大状態５１において、スロート部８に沿って流れる気流の風路の幅６１は、舌部７からスロート部８の先端に向かって増大するという構成にすることが好ましい。  
【００６３】
この構成により、風量増大状態５１におけるスロート部８近傍において、気流の風速を段階的に低下させることができる。気流の風速を段階的に低下させることで、風切り音を良好に減少させることができる。
【００６４】
また、図１に示すように、風量減少状態５２において、スロート部８に沿って流れる気流の風路の幅６２は、舌部７からスロート部８の先端に向かって一定であるという構成にすることが好ましい。
【００６５】
この構成により、風量減少状態５２におけるスロート部８近傍において、気流の風速を速い状態で安定させることができる。気流の風速を速い状態で安定させることで、直進性の高い吹出気流１８を得ることができる。特に、この構成をエアカーテンに適用した場合、直進性の高い吹出気流１８により、虫や埃などの異物を遮蔽する遮蔽性能を向上できる。
【００６６】
なお、実施の形態５で説明した構成は、シロッコファンだけではなく、貫流ファン等にも適用できる。
【００６７】
また、図７とは異なり、風量減少状態５２において、スロート部８の下端８ａは、端部接線８２よりも他方９２の方向に配置されてもよい。
【００６８】
なお、実施の形態１〜５において、操作部９、ケーシング１１等は必須の構成ではない。
【００６９】
以下、実施の形態１〜５について、補足する。
【００７０】
本発明の一態様に係る送風機１は、電動機２と、電動機２の回転軸３に固定された羽根車４と、羽根車４によって生成された気流を安定させるスタビライザー５とを備えた送風機１であって、スタビライザー５はガイド部６と舌部７とスロート部８とからなり、気流は、ガイド部６および舌部７により安定され、スロート部８に沿って流れ、吹出気流１８として吹き出される。スタビライザー５を可動式にし、スタビライザー５を動かすことにより、気流の風量を増大させた風量増大状態５１と、気流の風量を減少させた風量減少状態５２とを切り替えることを特徴とするものである。
【００７１】
この構成により、電動機２を調整しなくても、送風機１の吹出気流１８の風量を調整することができる。スタビライザー５を動かすことにより、吹出気流１８の風量を容易に調整できるため、用途に合わせて風量を調整できる送風機１を得ることができる。すなわち、多くの風量が必要な場合は風量増大状態５１になるようにスタビライザー５を動かし、少ない風量が必要な場合は風量減少状態５２になるようにスタビライザー５を動かすことで、容易に風量調整できる送風機１を得ることができる。
【００７２】
また、スタビライザー５および操作部９からなる風量調整部材１０を有し、操作部９を動かすことによりスタビライザー５が動くという構成にすることが好ましい。
【００７３】
この構成により、吹出気流１８の風量をさらに容易に調整することができる。
【００７４】
また、電動機２および羽根車４を内蔵するケーシング１１を有し、スタビライザー５はケーシング１１の中に設けられ、操作部９の一部はケーシング１１の外へ向かって突出して設けられたという構成にすることが好ましい。
【００７５】
この構成により、ケーシング１１を有する場合であっても、吹出気流１８の風量を容易に調整できる送風機１を得ることができる。
【００７６】
送風機１を備えたエアカーテン３１であって、壁面３２に備えつけられる取付板３３と、取付板３３に取り付けられる背面パネル３４と、背面パネル３４に固定された外郭パネル３５とを備え、電動機２、羽根車４’、およびスタビライザー５は背面パネル３４と外郭パネル３５で囲われた内部に設けられ、羽根車４’は貫流羽根車であり、外郭パネル３５の上面３５ａまたは前面３５ｂに吸込口３６を設け、外郭パネル３５の下面３５ｃに吹出口３７を設け、操作部９の一部は下面３５ｃから外へ向かって突出して設けられたという構成にすることが好ましい。
【００７７】
この構成により、貫流羽根車から構成される送風機１を搭載したエアカーテン３１を得ることができる。特に、操作部９の一部が外郭パネル３５の下面３５ｃから外へ向かって突出して設けられているため、容易に操作部９を操作することができる。このため、吹出気流１８の風量を容易に調整できるエアカーテン３１を得ることができるのである。なお、この構成では、ケーシング１１はなくても良い。
【００７８】
また、送風機１を備えたエアカーテン４１であって、壁面３２に備えつけられる取付板３３と、取付板３３に取り付けられる外郭パネル３５とを備え、外郭パネル３５の上面３５ａまたは前面３５ｂに吸込口３６を設け、外郭パネル３５の下面３５ｃに吹出口３７を設け、ケーシング１１の外へ向かって突出した操作部９の一部は、部分的に、さらに下面３５ｃから外へ向かって突出して設けられたという構成にすることが好ましい。
【００７９】
この構成により、ケーシング１１を有する送風機１を搭載したエアカーテン４１を得ることができる。特に、操作部９の一部は、部分的に、ケーシング１１から外へ突出するだけでなく、外郭パネル３５の下面３５ｃからも外へ突出しているため、容易に操作部９を操作することができる。このため、吹出気流１８の風量を容易に調整できるエアカーテン４１を得ることができるのである。
【００８０】
また、風量増大状態５１において、スロート部８に沿って流れる気流の風路の幅６１は、舌部７からスロート部８の先端に向かって増大するという構成にすることが好ましい。
【００８１】
この構成により、風量増大状態５１におけるスロート部８近傍において、気流の風速を段階的に低下させることができる。気流の風速を段階的に低下させることで、風切り音を良好に減少させることができる。この結果、低騒音な送風機或いはエアカーテンを得ることができる。
【００８２】
また、風量減少状態５２において、スロート部８に沿って流れる気流の風路の幅６２は、舌部７からスロート部８の先端に向かって一定であるという構成にすることが好ましい。
【００８３】
この構成により、風量減少状態５２におけるスロート部８近傍において、気流の風速を速い状態で安定させることができる。気流の風速を速い状態で安定させることで、直進性の高い吹出気流１８を得ることができる。特に、この構成をエアカーテンに適用した場合、直進性の高い吹出気流１８により、虫や埃などの異物を遮蔽する遮蔽性能を向上できる。
【００８４】
以上、本発明に係る送風機またはエアカーテンについて、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００８５】
本発明に係る送風機は、エアカーテン等に使用される送風機等としても有用である。
【符号の説明】
【００８６】
１    送風機
２    電動機
３    回転軸
４    羽根車
４’    羽根車
５    スタビライザー
６    ガイド部
７    舌部
８    スロート部
８ａ    下端
９    操作部
１０    風量調整部材
１１    ケーシング
１３    回転方向
１６    吸込口
１７    吹出口
１８    吹出気流
２１    開口
３１    エアカーテン
３２    壁面
３３    取付板
３４    背面パネル
３５    外郭パネル
３５ａ    上面
３５ｂ    前面
３５ｃ    下面
３６    吸込口
３７    吹出口
３９    下方向
４１    エアカーテン
５１    風量増大状態
５２    風量減少状態
６１    幅
６２    幅
７１    第１ガイダー
７２    第２ガイダー
７３    リアガイダー
８１    端部
８２    端部接線
９１    一方
９２    他方
【図１】
0006767611.tif 000002
【図２】
0006767611.tif 000003
【図３】
0006767611.tif 000004
【図４】
0006767611.tif 000005
【図５】
0006767611.tif 000006
【図６】
0006767611.tif 000007
【図７】
0006767611.tif 000008